(57)【要約】【課題】  機器を十分に冷却することができるとともに省エネルギーにも貢献する機器収容用ラック、電算機室用空気調和装置および電算機室用空調システムを提供すること。【解決手段】  床下に内部空間５を有する通路４と、該通路４を挟んで両側に設置され、前面から給気して上面または背面に排熱を排気する機器収容用ラック３群と、空気調和装置６とを備え、前記空気調和装置６から吹き出された冷却用空気が、前記通路４床下の内部空間５を流動するとともに、前記通路４の床面に設けられた孔から前記通路４の床上に吹き出され、この冷却用空気が前記ラック３に収容された機器を冷却した後、前記ラック３の上方の空間を流動して前記空気調和装置６に再び吸引される。前記ラック３群の中の少なくとも一つのラック３には、筐体３ａの上部前面側の縁部近傍に該筐体３ａの外方向に突き出る回り込み防止壁１０（板材）が設けられている。【選択図】      図４
2004184070.tif 000002
【特許請求の範囲】
【請求項１】
機器が収容され、前面から給気して上面または背面から熱を帯びた空気を排気する機器収容用ラックにおいて、
前記上面または背面から排出された空気の前記前面側への回り込みを阻止する板材が設けられていることを特徴とする機器収容用ラック。
【請求項２】
床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、
前記ラック群の前記上面または背面から排出された空気の前記前面側への回り込みを阻止する板材が設けられていることを特徴とする電算機室用空調システム。
【請求項３】
筐体の上面に吸気口が設けられ、電算機室内の機器を冷却する電算機室用空気調和装置において、
前記筐体に、前面下方から前記上面側への空気の回り込みを阻止する板材が設けられていることを特徴とする電算機室用空気調和装置。
【請求項４】
床下に内部空間を有する通路を挟んで両側に設置され、前面から給気して上面または背面から熱を帯びた空気を排気する機器収容用ラック群と、筐体の上面に吸気口が設けられた空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、
前記空気調和装置の前記筐体の前面下方から前記上面側への空気の回り込みを阻止する板材が設けられていることを特徴とする電算機室用空調システム。
【請求項５】
床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、
前記通路の一端側に位置して該通路を遮断する壁体が設けられ、該壁体を挟んで前記通路の外側に前記空気調和装置が位置していることを特徴とする電算機室用空調システム。
【請求項６】
請求項５に記載の電算機室用空調システムにおいて、
前記通路の他端側にも該通路を遮断する壁体が設けられていることを特徴とする電算機室用空調システム。
【請求項７】
請求項５または６に記載の電算機室用空調システムにおいて、
前記ラック群の前記上面または背面から排出された空気の前記前面側への回り込みを阻止する板材が設けられていることを特徴とする電算機室用空調システム。
【請求項８】
請求項５または６に記載の電算機室用空調システムにおいて、
前記通路を挟んで両側のラック群の上面間に渡された遮蔽体が設けられ、該遮蔽体によって該通路の上部が遮蔽されていることを特徴とする電算機室用空調システム。
【請求項９】
請求項５から８いずれかに記載の電算機室用空調システムにおいて、
前記通路の端部に設けられた壁体には開閉自在の扉が設けられていることを特徴とする電算機室用空調システム。
【請求項１０】
前記遮蔽体は、前記ラック側と前記通路の上方空間との間でスライド可能に支持されたスライド板を備えていることを特徴とする請求項８に記載の電算機室用空調システム。
【請求項１１】
前記遮蔽体は、前記ラックに固定されたクリップと、該クリップに着脱自在に固定されて前記通路上部を覆う遮蔽材であることを特徴とする請求項８に記載の電算機室用空調システム。
【請求項１２】
前記遮蔽体は、前記通路を挟んだ両側の前記ラック群間に張られた複数のワイヤーと、該ワイヤーに支持されて前記通路上部を覆う遮蔽材であることを特徴とする請求項８に記載の電算機室用空調システム。
【請求項１３】
前記遮蔽体は、２枚の側板の端部が回動自在に連結して頂部とされた屋根であることを特徴とする請求項８に記載の電算機室用空調システム。
【請求項１４】
前記遮蔽体は、前記通路を挟んだ両側の前記ラック群間に渡されたアーチ状の屋根であることを特徴とする請求項８に記載の電算機室用空調システム。
【請求項１５】
前記遮蔽体は、アーチ状の複数の骨組と、該骨組に支持されて前記通路上部を覆う遮蔽材であることを特徴とする請求項１４に記載の電算機室用空調システム。
【請求項１６】
前記遮蔽体の両端部を互いに離間させる方向に付勢する突っ張り棒を備え、該突っ張り棒の付勢力により前記遮蔽体が通路両側のラック間に支持されていることを特徴とする請求項１４または１５に記載の電算機室用空調システム。
【請求項１７】
前面から給気して上面から熱を帯びた空気を排気する機器収容用ラック群と、空気調和装置とを備え、前記空気調和装置から吹き出された冷却用空気が、前記機器収容用ラックに収容された機器を冷却する電算機室用空調システムにおいて、
天井裏に設けられた内部空間と、該天井裏の内部空間と前記機器収容用ラックの排気口とを直結するダクトと、該天井裏の内部空間と前記空気調和装置の吸込口とを直結するダクトとが設けられていることを特徴とする電算機室用空調システム。
【請求項１８】
前記空気調和装置は、前記機器収容用ラックから排気された空気を前記天井裏の内部空間を通じて吸引し、冷却して再び室内に吹き出すことを特徴とする請求項１７に記載の電算機室用空調システム。
【請求項１９】
前記空気調和装置は、前記機器収容用ラックから排気された空気を前記天井裏の内部空間を通じて吸引して室外に排気し、室外から取り入れた空気を冷却して室内に吹き出すことを特徴とする請求項１７に記載の電算機室用空調システム。
【請求項２０】
前記空気調和装置は、前記機器収容用ラックから排気された空気を前記天井裏の内部空間を通じて吸引するとともに、室外の気温に応じて、該排気を再び冷却して室内に吹き出す運転と、該排気を室外に放出する運転とを切り替えることを特徴とする請求項１７に記載の電算機室用空調システム。
【請求項２１】
前面から給気して上面から熱を帯びた空気を排気する機器収容用ラック群と、空気調和装置とを備え、前記空気調和装置から吹き出された冷却用空気が、前記機器収容用ラックに収容された機器を冷却する電算機室用空調システムにおいて、
天井裏に設けられた内部空間と、該天井裏の内部空間と前記機器収容用ラックの排気口とを直結するダクトとを備え、前記機器収容用ラックから排気された空気が前記ダクトおよび天井裏の内部空間を通じて室外に排気されることを特徴とする電算機室用空調システム。
【発明の詳細な説明】
【技術分野】
【０００１】
本発明は、電算機等の機器を冷却するシステムに利用することができる、機器収容用ラック、電算機室用空気調和装置および電算機室用空調システムに関する。
【背景技術】
【０００２】
ＯＡ機器や通信装置等は、高集約化・高発熱化の傾向にある。これらの機器の運用温度は比較的低く設定されているため、高温の空気を吸い込んだ場合、システム停止などのトラブルを引き起こす可能性がある。そのため、これらの機器は電算機室内に設置されたラックに収容され、二重床からの吹き出しによって効率良く機器に冷風を送り込むような方式を採用している。二重床吹き出し方式の電算機の場合、機器を搭載したラックは、大別して、前面から給気して背面や上面に排気しているものと、下面から給気して背面や上面に排気するものの２通りがある。
【０００３】
前面から給気する電算機室用空調システムの例を図３４に示した。
図は建物の室内で、床１、不図示の壁および天井で囲まれている。床１から上方に離間して二重床２が設けられ、その二重床２に複数台のラック３，３，…が設置されている。これらラック３群に挟まれて通路４が位置している。二重床２の下には空間（以下、二重床２の内部空間と称する）５が確保され、そこに各ラック３の電気配線（図示しない）などが収容される。また、通路４の外側において、二重床２上に空気調和装置６が設置されている。この空気調和装置６は、室内の空気を吸込口６ａから吸い込んで冷却し、その冷却後の空気を冷却用空気として底面に設けられた吹出口６ｂから送出する。なお、空気調和装置６の電気配線についても二重床２の内部空間５に収容される。二重床２の一部は通路４に位置して孔あきパネル７が設けられており、空気調和装置６から送出される冷却用空気が孔あきパネル７を通して二重床２上に給気されるようになっている。各ラック３は、筐体３ａの前面全体（給気面３ｂ）から冷却用空気を取り込み、上部または背面に設けられたファン３ｃから上方または背面方向に排気するようになっている。
【０００４】
次に、本空調システムの作用を説明する。ラック３の運転時はファン３ｃを動作するとともに空気調和装置６が運転され、空気調和装置６から送出される冷却用空気が二重床２の内部空間５に供給される。内部空間５に供給された冷却用空気は、空気調和装置６の送風圧およびファン３ｃの吸入圧を受けて、床面の孔あきパネル７を通り、さらにラック３前面の給気面３ｂを通り、ラック３の筐体３ａ内に送られる。ラック３の筐体３ａ内に送られた冷却用空気はその筐体３ａ内の発熱機器を冷却した後、上方または背面方向に放出される。この放出される空気は各ラック３の上方を通って空気調和装置６の吸込口６ａに吸い込まれ、再び冷却用空気となって吹き出される。
【特許文献１】特開平８−３０３８１５号公報
【特許文献２】特開平１０−４７７４７号公報
【発明の開示】
【発明が解決しようとする課題】
【０００５】
さて、近年電算機室等で使用している機器の発熱量が非常に大きくなってきており、このため、従来の想定を超える熱問題が生じている。すなわち、図３４の例のように発熱機器を前面吸込み方式のラック３に縦方向に搭載していった場合、符号Ａで示したように上部の方には二重床からの冷風が届かなかったり、符号Ｂのようにラック上面や背面から排出される温度が給気面３ｂに回り込むことによって上部が暖まってしまったりという現象が起きている。また、空気調和装置６と孔あきパネル７とが近い場合、孔あきパネル７から吹き出された冷風をそのまま空気調和装置６の吸込み口６ａから吸ってしまい、内部空間５を流れる空気量が少なくなってしまう現象（いわゆるショートサーキット現象）も起きている（符号Ｃ）。この結果空気調和装置６から離れた領域まで冷風が届かず、空気調和装置６から遠いラック３の冷却が困難となってしまう。
【０００６】
本発明は上記事情に鑑みて成されたものであり、機器を十分に冷却することができるとともに省エネルギーにも貢献する機器収容用ラック、電算機室用空気調和装置および電算機室用空調システムを提供ことを目的としたものである。
【課題を解決するための手段】
【０００７】
本発明においては上記の課題を解決するために以下の手段を採用した。
請求項１に記載の発明は、機器が収容され、前面から給気して上面または背面から熱を帯びた空気を排気する機器収容用ラックにおいて、前記上面または背面から排出された空気の前記前面側への回り込みを阻止する板材が設けられていることを特徴とする。
【０００８】
この発明においては、ラックの上面または背面から排出された空気の前面側への回り込みを板材によって阻止することにより、熱を帯びた空気のショートサーキットが起き難くなってラック上部の温度上昇が抑えられる。
【０００９】
請求項２に記載の電算機室用空調システムは、床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、前記ラック群の前記上面または背面から排出された空気の前記前面側への回り込みを阻止する板材が設けられていることを特徴とする。
【００１０】
この発明においては、ラックの上面または背面から排出された空気の前面側への回り込みを板材によって阻止することにより、熱を帯びた空気のショートサーキットが起き難くなってラック上部の温度上昇が抑えられる。
なお、空調システム全体において、必ずしもすべてのラックに排熱遮断用板材を設けなくてもよく、必要なラック（例えば排熱量が多いラック）にのみ板材を取り付けるようにしてもよい。しかしながら、多くの（またはすべての）ラックに板材を設けることで、ラック群の上方に、板材にガイドされて空気調和装置に至る流路を形成することができる。
【００１１】
請求項３に記載の電算機室用空気調和装置は、筐体の上面に吸気口が設けられ、電算機室内の機器を冷却する電算機室用空気調和装置において、前記筐体に、前面下方から前記上面側への空気の回り込みを阻止する板材が設けられていることを特徴とする。
【００１２】
この発明においては、筐体の前面下方から上面側への空気の回り込みを板材によって阻止することにより、空気調和装置が吹き出した冷気のショートサーキットが起き難くなって冷却効率が向上する。
【００１３】
請求項４に記載の電算機室用空調システムは、床下に内部空間を有する通路を挟んで両側に設置され、前面から給気して上面または背面から熱を帯びた空気を排気する機器収容用ラック群と、筐体の上面に吸気口が設けられた空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、前記空気調和装置の前記筐体の前面下方から前記上面側への空気の回り込みを阻止する板材が設けられていることを特徴とする。
【００１４】
この発明においては、筐体の前面下方から上面側への空気の回り込みを板材によって阻止することにより、空気調和装置が吹き出した冷気のショートサーキットが起き難くなって冷却効率が向上する。
【００１５】
請求項５に記載の電算機室用空調システムは、床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、前記通路の一端側に位置して該通路を遮断する壁体が設けられ、該壁体を挟んで前記通路の外側に前記空気調和装置が位置していることを特徴とする。
【００１６】
この発明においては、壁体によって通路側と空調装置側との空間を遮断することにより、通路上方に吹き出された冷気はラックに取り込まれ、ラック内の機器を冷却した後に空気調和装置に取り込まれ、空気調和装置が吹き出した冷気のショートサーキットが起き難くなって冷却効率が向上する。
【００１７】
請求項６に記載の発明は、請求項５に記載の電算機室用空調システムにおいて、前記通路の他端側にも該通路を遮断する壁体が設けられていることを特徴とする。
【００１８】
この発明においては、通路の他端側においても壁体によって通路を遮断することにより、ラックから排気された排熱が回り込んで通路内に入り込むことが防止される。
【００１９】
請求項７に記載の発明は、請求項５または６に記載の電算機室用空調システムにおいて、前記ラック群の前記上面または背面から排出された空気の前記前面側への回り込みを阻止する板材が設けられていることを特徴とする。
【００２０】
この発明においては、ラックの上面または背面から排出された空気の前面側への回り込みを板材によって阻止することにより、熱を帯びた空気のショートサーキットが起き難くなってラック上部の温度上昇が抑えられる。
なお、空調システム全体において、必ずしもすべてのラックに排熱遮断用板材を設けなくてもよく、必要なラック（例えば排熱量が多いラック）にのみ板材を取り付けるようにしてもよい。しかしながら、多くの（またはすべての）ラックに板材を設けることで、ラック群の上方に、板材にガイドされて空気調和装置に至る流路を形成することができる。
【００２１】
請求項８に記載の発明は、請求項５または６に記載の電算機室用空調システムにおいて、前記通路を挟んで両側のラック群の上面間に渡された遮蔽体が設けられ、該遮蔽体によって該通路の上部が遮蔽されていることを特徴とする。
【００２２】
この発明においては、遮蔽体によって通路の上部が遮蔽されていることにより、熱を帯びた空気のショートサーキットが起き難くなってラック上部の温度上昇が抑えられる。
【００２３】
請求項９に記載の発明は、請求項５から８いずれかに記載の電算機室用空調システムにおいて、前記通路の端部に設けられた壁体には開閉自在の扉が設けられていることを特徴とする。
【００２４】
この発明においては、扉を通じて人が出入りすることができる。
【００２５】
請求項１０に記載の発明は、請求項８に記載の電算機室用空調システムにおいて、前記遮蔽体は、前記ラック側と前記通路の上方空間との間でスライド可能に支持されたスライド板を備えていることを特徴とする。
【００２６】
この発明においては、例えばメンテナンス時にはスライド板をスライドさせて通路上方空間をあけることで照度を確保する。
【００２７】
請求項１１に記載の発明は、請求項８に記載の電算機室用空調システムにおいて、前記遮蔽体は、前記ラックに固定されたクリップと、該クリップに着脱自在に固定されて前記通路上部を覆う遮蔽材であることを特徴とする。
【００２８】
この発明においては、遮蔽材を容易に取り外し可能であるから、例えばメンテナンス時には遮蔽体をクリップから取り外して必要な照度を確保する。
【００２９】
請求項１２に記載の発明は、請求項８に記載の電算機室用空調システムにおいて、前記遮蔽体は、前記通路を挟んだ両側の前記ラック群間に張られた複数のワイヤーと、該ワイヤーに支持されて前記通路上部を覆う遮蔽材であることを特徴とする。
【００３０】
この発明においては、遮蔽材を容易に取り外し可能であるから、例えばメンテナンス時には遮蔽体をワイヤーから取り外して必要な照度を確保する。
【００３１】
請求項１３に記載の発明は、請求項８に記載の電算機室用空調システムにおいて、前記遮蔽体は、２枚の側板の端部が回動自在に連結して頂部とされた屋根であることを特徴とする。
【００３２】
この発明においては、この発明においては通路上部の遮蔽体高さを十分に取ることができるから圧迫感なく構成することができる。また、頂角を変更することで様々な通路幅に対応可能である。
【００３３】
請求項１４に記載の発明は、請求項８に記載の電算機室用空調システムにおいて、前記遮蔽体は、前記通路を挟んだ両側の前記ラック群間に渡されたアーチ状の屋根であることを特徴とする。
【００３４】
この発明においては通路上部の遮蔽体高さを十分に取ることができるから圧迫感なく構成することができる。また柔軟な素材を採用することで、アーチの幅を変動でき、種々の通路幅に対応することができる。
【００３５】
請求項１５に記載の発明は、請求項１４に記載の電算機室用空調システムにおいて、前記遮蔽体は、アーチ状の複数の骨組と、該骨組に支持されて前記通路上部を覆う遮蔽材であることを特徴とする。
【００３６】
この発明においては、遮蔽材を柔軟な素材とし、複数の骨組間の距離を変動することで、遮蔽材の長さを容易に変更することができる。
【００３７】
請求項１６に記載の発明は、請求項１４または１５に記載の電算機室用空調システムにおいて、前記遮蔽体の両端部を互いに離間させる方向に付勢する突っ張り棒を備え、該突っ張り棒の付勢力により前記遮蔽体が通路両側のラック間に支持されていることを特徴とする。
【００３８】
この発明においては、遮蔽材の内側から突っ張り棒で付勢してラック間に取り付ける構成であるから、種々の通路幅に対応可能である。
【００３９】
請求項１７に記載の発明は、前面から給気して上面から熱を帯びた空気を排気する機器収容用ラック群と、空気調和装置とを備え、前記空気調和装置から吹き出された冷却用空気が、前記機器収容用ラックに収容された機器を冷却する電算機室用空調システムにおいて、天井裏に設けられた内部空間と、該天井裏の内部空間と前記機器収容用ラックの排気口とを直結するダクトと、該天井裏の内部空間と前記空気調和装置の吸込口とを直結するダクトとが設けられていることを特徴とする。
【００４０】
この発明においては、ラックから排出される空気は、ラックと内部空間とをつなぐダクトにより確実にガイドされて天井裏の内部空間に導入される。内部空間に導入された空気は、内部空間と空気調和装置をつなぐダクトにより確実にガイドされて空気調和装置に吸い込まれる。なお排気口の位置は限定されるものではなく、排気口と内部空間とが直結されていればよい。
【００４１】
請求項１８に記載の発明は、請求項１７に記載の電算機室用空調システムにおいて、前記空気調和装置は、機器収容用ラックから排気された空気を前記天井裏の内部空間を通じて吸引し、冷却して再び室内に吹き出すことを特徴とする。
【００４２】
この発明においては、ラックから排出される空気は、ダクトを通じて確実に空気調和装置に吸入され、再び冷却される。
【００４３】
請求項１９に記載の発明は、請求項１７に記載の電算機室用空調システムにおいて、前記空気調和装置は、機器収容用ラックから排気された空気を前記天井裏の内部空間を通じて吸引して室外に排気し、室外から取り入れた空気を冷却して室内に吹き出すことを特徴とする。
【００４４】
この発明においては、ラックから排出される空気は、ダクトを通じて確実に空気調和装置に吸入され、冷却されずに室外に排気される。
【００４５】
請求項２０に記載の発明は、請求項１７に記載の電算機室用空調システムにおいて、前記空気調和装置は、前記機器収容用ラックから排気された空気を前記天井裏の内部空間を通じて吸引するとともに、室外の気温に応じて、該排気を再び冷却して室内に吹き出す運転と、該排気を室外に放出する運転とを切り替えることを特徴とする。
【００４６】
この発明においては、外気温に応じて最適な空気調和を行うことができる。
【００４７】
請求項２１に記載の発明は、前面から給気して上面から熱を帯びた空気を排気する機器収容用ラック群と、空気調和装置とを備え、前記空気調和装置から吹き出された冷却用空気が、前記機器収容用ラックに収容された機器を冷却する電算機室用空調システムにおいて、天井裏に設けられた内部空間と、該天井裏の内部空間と前記機器収容用ラックの排気口とを直結するダクトを備え、前記機器収容用ラックから排気された空気が前記ダクトおよび天井裏の内部空間を通じて室外に排気されることを特徴とする。
【００４８】
この発明においては、ラックから排出される空気は、ダクトを通じて確実に天井裏空間に導入され、室外に排気される。天井裏の空間に排気用のファンを設けることで、確実に室外に排気されるようにすることができる。
【発明の効果】
【００４９】
本発明においては以下の効果を得ることができる。
請求項１または２に記載の発明によれば、ラックの上面または背面から排出された空気の前面側への回り込みを板材によって阻止することにより、熱を帯びた空気のショートサーキットが起き難くなってラック上部の温度上昇が抑えられる。したがって、ラックの上部であっても十分に冷却することができる。
請求項３または４に記載の発明によれば、筐体の前面下方から上面側への空気の回り込みを板材によって阻止することにより、空気調和装置が吹き出した冷気のショートサーキットが起き難くなって冷却効率が向上する。したがって、空気調和装置の冷却能力の向上と省エネルギー化を実現することができる。
請求項５に記載の発明によれば、壁体によって通路側と空調装置側との空間を遮断することにより、通路上方に吹き出された冷気はラックに取り込まれ、ラック内の機器を冷却した後に空気調和装置に取り込まれ、空気調和装置が吹き出した冷気のショートサーキットが起き難くなって冷却効率が向上する。したがって、空気調和装置の冷却能力の向上と省エネルギー化を実現することができる。
請求項６に記載の発明によれば、通路の他端側においても通路が壁体により遮断されているため、ラックから排気された排熱が回り込んで通路内に入り込むことが防止される。したがって、ラックを十分に冷却することができる。
請求項７に記載の発明によれば、ラックの上面または背面から排出された空気の前面側への回り込みを板材によって阻止することにより、熱を帯びた空気のショートサーキットが起き難くなってラック上部の温度上昇が抑えられる。したがって、ラックの上部であっても十分に冷却することができる。
請求項８に記載の発明によれば、遮蔽板によって通路の上部が遮蔽されていることにより、熱を帯びた空気のショートサーキットが起き難くなってラック上部の温度上昇が抑えられる。したがって、ラックの上部であっても十分に冷却することができる。
請求項９に記載の発明によれば、壁体に設けられた扉を通じて人が出入りすることができる。
請求項１０から１６に記載の発明によれば、遮蔽板によって通路の上部が遮蔽されていることにより、熱を帯びた空気のショートサーキットが起き難くなってラック上部の温度上昇が抑えられる。したがって、ラックの上部であっても十分に冷却することができる。
請求項１７から２１に記載の発明によれば、ラックの排気がダクトにより天井裏の内部空間に確実に導かれるため、空気の回り込みが阻止され、冷却効率が向上する。したがって、空気調和装置の冷却能力の向上と省エネルギー化を実現することができる。
【発明を実施するための最良の形態】
【００５０】
次に、本発明の実施形態について、図面を参照して説明する。なお、従来と同一の構成については同一の符号を用い、その説明を省略する。
本実施形態では、ラック３の上部であって、前面側の筐体縁部近傍に、該筐体から外方向に突き出る回り込み防止壁（板材）を設ける。図１(a)の例では下縁端に支持部材１０aを備えた回り込み防止壁１０がラック３の上面であって給気面３ｂ側縁部に乗せられている（固定されていることとしても良い。）図１(b)では回り込み防止壁１１がラック３の給気面３ｂの上端部にボルト１１aによって固定されている。これら回り込み防止壁１０、１１は垂直に設けられているが、図２(a)(b)の変形例（回り込み防止壁１０’、１１’）のようにラック３の給気面３ｂ側に向かって傾斜させても良い。さらに図３(a)(b)の変形例（回り込み防止壁１０”、１１”）のようにラック３の給気面３ｂ方向に水平に向けて設けても良い。これら回り込み防止壁１０’、１１’、１０”、１１”はそれぞれボルト１０ａ’、１１ａ’、１０ａ”、１１ａ”により筐体３ａに固定されている。
このように構成されていることにより、ラック３の上方または背面から吹き出される温風が、ラック３の前方に回り込んで給気面３ｂから吸込まれることを防止することができる。したがって、ラック３の上部に収容された機器であっても十分に冷却を行うことができる。
なお、回り込み防止壁１１の固定は、ボルトの他にもマグネットや吸盤、クランプ機構等の手段が採用できる。
【００５１】
さらに、図４に示したように、空気調和装置６にも同様の回り込み防止壁１２を設けても良い。図では空気調和装置６の筐体上面であって前面側（冷風を送り出す通路４側）の縁部に回り込み防止壁１２が垂直に設けられている。この場合、気流が遮られることにより、孔あきパネル７から吹き出された冷気が直接空気調和装置６の吸込口６ａに吸い込まれ難くなる（図９の符号Ｃで示したショートサーキット現象が防止される）。したがって内部空間５に十分な量の冷気を供給することができ、空気調和装置６から離れたラック３にも十分冷気を送ることができて冷却効率を向上させることができる。
なお、回り込み防止壁１２の姿勢は、図１から図３の回り込み防止壁１０，１０’、１０”、１１，１１’、１１”のように、垂直姿勢の他、傾斜または水平の姿勢であってもよい。
また、図４は電算機室用空調システムの全体を示した図であり、通路４を挟んだ両側に複数のラック３群が設けられている。これらラック３には、上記図１から図３の回り込み防止壁１０（回り込み防止壁１０’、１０”、１１，１１’、１１”であってもよい）を設けてもよい。このように各回り込み防止壁１０により、ラック３群の上方に空気調和装置６に至る流路が形成される。したがってラック３の上方に排出された排熱は、各回り込み防止壁１０にガイドされ、空気調和装置６の吸込口６ａに吸い込まれる。
したがって、排熱が空気調和装置６に至る間に再びラック３に取り込まれることが防止されるから、ラック３を十分に冷却することができる。
なお、回り込み防止壁１０にかえて、回り込み防止壁１０’、１０”、１１，１１’、１１”であってもよい。
また、本実施形態の各回り込み防止壁１０、１０’、１０”、１１，１１’、１１”はいずれもラック３の筐体３ａに固定されているが、図５に示すように回り込み防止壁を天井から吊り下げて所定の位置に配置するようにしてもよい。
【００５２】
次に、本発明の他の実施形態について説明する。図６において、符号１３は通路４の空気調和装置６側に位置して該通路４を遮断する壁体である。この壁体１３には、開閉自在の扉１３ａが設けられている。
このように構成されていることにより、壁体１３によって通路４側と空調装置６側との空間が遮断され、孔あきパネル７から吹き出された冷気が直接空気調和装置６の吸込口６ａに直接吸い込まれることが防止される（ショートサーキット現象の防止）。したがって内部空間５に十分な量の冷気を供給することができ、空気調和装置６から離れたラック３にも十分冷気を送ることができて冷却効率を向上させることができる。
また、扉１３ａが設けられていることにより、作業員が扉を通って通路内に出入りすることができる。
【００５３】
さらに、図７のように通路４の他端側にも開閉自在の扉１４ａを有する壁体１４を設けてもよい。これにより、ラック３から排気された排熱が通路４の他端側で回り込んで通路内に入り込むことが防止される。したがって他端側のラック３の上部に収容された機器であっても十分に冷却を行うことができる。また、扉１４ａが設けられていることにより、作業員が扉を通って通路内に出入りすることができる。
なお、図示は省略したが、上記の扉１３ａ，１４ａには、空気調和装置６からの風量が十分でない場合に適度な通風を確保するべく通風孔を設けても良い。その場合、できるだけ扉の下方に通風口を設けたほうがより低い温度の空気を取り込むことができ、冷却効果をさらに高めることができる。
【００５４】
さらに、図８に示したように、図６，図７の実施形態に対して、図１から図３の回り込み防止壁１０（または回り込み防止壁１１）を設けても良い。このように各回り込み防止壁１０により、ラック３群の上方に空気調和装置６に至る流路が形成される。したがってラック３の上方に排出された排熱は、各回り込み防止壁１０にガイドされ、空気調和装置６の吸込口６ａに吸い込まれる。
したがって、排熱が空気調和装置６に至る間に再びラック３に取り込まれることが防止されるから、ラック３を十分に冷却することができる。
なお、回り込み防止壁１０、１１にかえて、回り込み防止壁１０’、１０”、１１’、１１”であってもよい。しかしながら、本実施形態においては、図８のようにラック３の縁部から垂直に突き出た回り込み防止壁１０と壁体１３，１４とによって、通路４の上縁が取り囲まれた状態となっている。
【００５５】
さらに他の実施形態として、図９の様に構成しても良い。本実施形態においては、通路４を挟んで両側のラック３群の上面間に渡された遮蔽板（遮蔽体）１６が設けられている。
これにより、通路が遮蔽板１６により遮蔽され、さらに両端が壁体１３，１４により遮断されているから、ラック３上方に排気された排熱が通路４内に入り込むことが防止される。したがって、ラック３を十分に冷却することができ、高い冷却効果を得ることができる。
なお、本実施形態の遮蔽板１６はラック３群の上面間に渡って支持されているが、図１０に示すように遮蔽板を天井から吊り下げて所定の位置に配置するようにしてもよい（図１０では遮蔽板１６に回り込み防止壁と同じ働きをする端板を設けているが、遮蔽板１６だけでも高い冷却効果が得られる）。
【００５６】
また、図９の遮蔽板１６のかわりに、以下の各遮蔽体としてもよい。
図１１に示したものは、ラック３側と通路４の上方空間との間でスライド可能に支持されたスライド板２３を備えた遮蔽体２０である。本遮蔽体２０は、通路両側のラック３群に、それぞれ対向状態で複数並べて設けられるものである。図１２に示したようにラック３にはもともとラック連結用バー２１と、ラック連結用バー２１の固定用ボルト２２とが設けられており、本遮蔽体２０は、図１３に示したようにこの固定用ボルト２２を用いてラック３に固定する。具体的には、図１３において、符号２３はスライド板、符号２４はスライド板２３を収納可能な収納部である。収納部２４は図１３(b)のように側面視略コ字状であり、基端側の底板２４ａと該底板２４ａと平行な上板２４ｂが、これらに垂直な連結板２４ｃにより連結した状態となっている。底板２４ａは固定用ボルト２２によってラック３とラック連結用バー２１との間に挟まった状態で固定される。また上板２４ｂの左右にスライド板２３が内挿される溝２５が設けられ、スライド板２３を溝２５に沿ってスライドさせることで、スライド板２３を通路４側に出したり収納部２４内に収容したりすることが可能となっている。また、スライド板２３が位置決めされた後は、上板２４ｂの下面に設けられた固定用ネジ２６でスライド板２３を固定することができるようになっている。
なお符号２３ａはスライド板２３の下面から下方に突出した取っ手であり、スライド板２３を出し入れするときには取っ手２３ａを手で持って行えば容易である。
【００５７】
収納部２４の構成をより具体的に説明する。連結用バー２１と固定用ボルト２２はもともとラックに設けられているものであるが、その位置はラック３の仕様により異なる。したがってこのユニットを設置するために、図１４(a)または(b)のような工夫により、ボルト留めの位置を調節するようになっている。
図１４(a)の例では、底板２４ａにはラック３の連設方向（通路方向）に沿って長い長孔２４ｄが設けられており、様々なラックの仕様（ボルト孔位置）に対応して固定できるようになっている。
図１４(b)の例では、収納部２４の底板２４ａに固定用バー２７が設けられており、この固定用バー２７が固定用ボルト２２によりラック３に固定される。底板２４ａ本体側に複数の孔２８が設けられており、これら複数の孔２８の中から適当なものを選択して固定用バー２７と底板２４ａ本体とがボルト２９により固定される。なお、複数の孔２８は長孔とすることでボルト留めの位置を調節するようにしてもよい。
このような遮蔽体２０が設けられたラックをメンテナンスするときは、図１５に示したように適宜スライド板２３を開き、天井に設けられた照明が通路４に届くようにする。
スライド板２３の素材としては金属板、網、樹脂板、ガラス板等、いかなるものであってもよい。光をある程度透過する材料でスライド板２３を構成すれば、スライドさせなくとも必要な照度を確保することができる。また遮蔽体２０に照明を取り付けるようにしてもよい。
【００５８】
本遮蔽体２０は図１６の変形例（遮蔽体２０’）としてもよい。図１６において示した遮蔽体２０’は、スライド板の構成が異なる他は遮蔽体２０と同じ構成となっている。本遮蔽体２０’では、スライド板２３より長い１枚のスライド板２３’が、通路を挟んで対向状態に設けられた収納部２４、２４間をスライドするようになっている。スライド板２３’の収納時には片側の収納部２４に収納され、使用時（遮蔽時）には、他側の収納部２４側に向かって引き出し、両収納部２４の中間に位置させて両端を収納部２４によって支持させるようにする。
本構成によれば、固定用ネジ２６は片側の収納部２４に設けておくだけでよく、取っ手２３ａも不要である。したがって遮蔽体２０より低コストに設置することができる。
さらに図１７に示した変形例（遮蔽体２０”）としてもよい。本変形例においては、通路を跨いだ状態でひとつの遮蔽体２０”が設けられている。遮蔽体２０”は、一方のラックに収納部２４よりも長い収納部２４’が設けられ、他側のラックには収納部２４のかわりに支持部２４”が設けられる。支持部２４”は、収納部２４と同様の構成であるが、上板２４ｂが設けられておらず、連結板２４ｃに相当する部材２４ｃ’の上端によってスライド板２３’を支持する構成となっている。スライド板２３’は収納部２４’によってスライド自在に支持されており、収納時には片側の収納部２４’に収納され、使用時（遮蔽時）には支持部２４”側に引き出されて先端が支持部２４”によって支持される。
本構成によれば、固定用ネジ２６は片側に設けておくだけでよく、取っ手２３ａも不要である。したがって遮蔽体２０より低コストに設置することができる。
【００５９】
図１８に示した遮蔽体３０は、ラック３に固定されたクリップ３１と、クリップに着脱自在に固定されて前記通路上部を覆う遮蔽材としての不燃シート３２とにより構成されている。クリップ３１は、基端３１ａがボルトによってラック３に固定され、先端３１ｂ側が弾性力により不燃シート３２を挟み込む構成となっている。
本例においては、不燃シート３２を容易に取り外し可能であるから、例えばメンテナンス時には不燃シート３２をクリップ３１から取り外して必要な照度を確保する。不燃シート３２の素材を、光をある程度透過する材料により構成すれば、不燃シート３２を取り付けたままでメンテナンス可能である。
また、不燃シート３２の幅を適宜変更することが容易あるから、通路４の幅、またはラック３の幅に合わせて容易に遮蔽体３０を設置することが可能である。
【００６０】
図１９に示した遮蔽体３３は、通路を挟んだ両側のラックにそれぞれ設置される二つの枠体３４，３５を備えている。これら枠体３４、３５に柔軟性を有する不燃シート３６が固定されていることにより、不燃シート３６が通路上部を覆う遮蔽材となっている。
枠体３４，３５の構成を詳細に説明する。枠体３４，３５の下面に図１４(a)の長孔２４ｄと同様の長孔３４ａ、３５ａが設けられていることにより、ボルト留めの位置を調節することができるようになっている。枠体３４，３５の少なくとも一方は、以下に説明するように開閉自在となっている（以下では枠体３５について説明する）。図２０に示したように、枠体３５は、枠体本体３５ｂと、枠体本体３５ｂに対して固定される挟持体３５ｃとを備えている。枠体本体３５ｂと挟持体３５ｃの一側面には、それぞれボルト孔３５ｄ、３５ｅが設けられており、他側面側においては、蝶番構造により挟持体３５ｃが回動自在に枠体本体３５ｂに支持されている。そして挟持体３５ｃと枠体本体３５ｂとの間に不燃シート３６が挟まれた状態で、ボルト孔３５ｄ、３５ｅにボルト３５ｆ（図１９参照）が固定されることで不燃シート３６が枠体３５に固定される。なお、枠体本体３５ｂと挟持体３５ｃの両側面をボルト留めとしてもよい。
枠体３４については、必ずしも枠体３５のように開閉自在でなく、常に不燃シート３６が固定状態となっていてもよい。
また固定時に枠体３５からはみ出す不燃シート３６の余分な端部は、必要に応じて折り畳んで挟持体３５ｃと枠体本体３５ｂとの間に挟むか、切断する。
メンテナンス等の際に不燃シート３６による覆いをはずす場合には、ボルト３５ｆを取り外して挟持体３５ｃを開き、不燃シート３６の固定をはずす。
このように構成されていることにより、様々な通路の幅に応じて通路上部を遮蔽することができる。メンテナンス時には不燃シート３６を枠体３５から取り外して必要な照度を容易に確保することができる。また、上記の遮蔽体３０と同様に、不燃シート３６の素材を、光をある程度透過する材料により構成すれば、不燃シート３６を取り付けたままでメンテナンス可能である。
【００６１】
さらに上記の遮蔽体３３の変形例として、図２１に示したように枠体３４側に不燃シート３６が巻き取られたロール３６Ａを収納しておき、不燃シート３６を固定する際にロール３６Ａから不燃シート３６を引き出して枠体３５に固定するようにしてもよい。またメンテナンス時には不燃シート３６をロール３６Ａに巻き取る。
【００６２】
図２２に示した遮蔽体３７は、通路４を挟んだ両側のラック３群間に張られた複数のワイヤー３８と、これらワイヤー３８に支持されて通路４の上部を覆う遮蔽材としての不燃シート３９により構成されている。不燃シート３９はワイヤー３８に固定させるが、ラック３に対しても固定させるようにしてもよい。
本例においては、不燃シート３９を容易に取り外し可能であるから、例えばメンテナンス時には不燃シート３９をワイヤー３８から取り外して必要な照度を確保する。また、上記の遮蔽体３０と同様に、不燃シート３９の素材を光をある程度透過する材料により構成すれば、不燃シート３９を取り付けたままでメンテナンス可能である。
【００６３】
図２３に示した遮蔽体４０は、２枚の側板４１、４２を山形に合わせた形状となっており、側板４１，４２はそれぞれの端部がヒンジ部４３により回動自在に連結され、このヒンジ部４３が屋根の頂部となっていて、頂角の角度が自在に変更可能となっている。また、側板４１，４２の下縁には、それぞれ固定用バー４６が設けられている。
この遮蔽体４０も、遮蔽体２０と同様にラック連結用バー２１と固定用ボルト２２によってラックに固定される。したがってこのユニットを設置するために、図２４(a)または(b)のような工夫によりボルト留めの位置を調節するようになっている。
図２４(a)について説明すると、側板４１，４２には、ヒンジ部４４，４５を介して回動自在に固定用バー４６が設けられている。固定用バー４６には、ラック連設方向（通路方向）に沿って長い長孔４６ａが設けられており、様々なラックの仕様（ボルト孔位置）に対応して固定できるようになっている。固定の際にはヒンジ部４４，４５およびヒンジ部４３を回動させることで、通路幅に応じて遮蔽体４０の幅を自在に変更することができる。
図２４(b)の例では、側板４１，４２には、ヒンジ部４４，４５を介して回動自在に固定部４１ａ、４２ａが固定されている。固定部４１ａ、４２ａには複数の孔４８が設けられており、これらの孔４８から適宜選択され、固定用バー４６が固定用ボルト４９によって固定されている。固定用バー４６は、ラック連結用の固定用ボルト２２（図１２参照）によってラック３の所定位置に固定される。この際、ヒンジ部４４，４５およびヒンジ部４３を回動させて通路幅に応じて遮蔽体４０の幅を自在に変更することができる。
このように、本遮蔽体４０によれば、通路上部の遮蔽体高さを十分に取ることができるから圧迫感なく構成することができる。また頂角を変更することで、様々な通路幅に対応可能である。
なお、側板４１，４２の素材としては、金属板、網、樹脂板、ガラス板等、いかなるものであってもよい。
【００６４】
図２５に示した遮蔽体５０は、ラック間に渡されるアーチ状の屋根となっている。この遮蔽体５０は、アーチ状の骨組５１一対と、骨組５１に支持されて通路４の上部を覆う遮蔽材としての不燃材５２とを備える。（必要に応じて骨組５１を増やしたり、骨組５１間をつなぐ桟５３を設けたりしてもよい。）骨組５１の素材は柔軟性のあるものを用い、対向する両縁間の間隔を変化させることができるようにする。これにより、種々の通路間隔に対応することができる。また、通路上部の遮蔽体高さを十分に取ることができるから圧迫感なく構成することができる。光りをある程度以上通す素材を採用することで、照明を設けなくとも必要な照度を確保することができる。
【００６５】
アーチ状の遮蔽体の他の例として、図２６に示した構成としてもよい。図２６の遮蔽体５５は、アーチ状の複数の骨組５６と、骨組５６に支持されて通路４の上部を覆う遮蔽材としての不燃材５７とを備える。不燃材５７は柔軟性または弾力性を持つ素材により形成し、各骨組５６間にゆったりと遊びを持って貼られ、骨組５６は遮蔽体５５の長手方向に互いの間隔をある程度変化させてラック３に固定することができるようになっている。
【００６６】
また、図２７の遮蔽体５８は、骨組がなく、樹脂素材によるアーチ状の遮蔽材５９が、クリップ６０を介してラック３に固定される構成となっている。クリップ６０は基端側をラック３に固定され、先端側で遮蔽材５９を弾性的に着脱自在に固定するようになっている。
【００６７】
さらに図２８の遮蔽体６２のように、突っ張り棒６３を用いてもよい。図の遮蔽体６２は、樹脂製のアーチ状の遮蔽材６４と、遮蔽材６４の両先端部に設けられたエッジ部６５と、エッジ部６５を互いに離間する方向に付勢する突っ張り棒６３を備える。エッジ部６５は、遮蔽材６４の端縁全体を覆う梁部６５ａと、梁部６５ａの適当な位置から外側に延びる板体６５ｂ、同位置から下方向に延びる板体６５ｃを備える。突っ張り棒６２は、梁部６５ａの板体６５ｂ基端部近傍を付勢するようになっている。
なお、本遮蔽体６２の変形例として、図２９(a)のように板体６５ｃを付勢するようにしてもよいし、同図(b)のように直接遮蔽材６４を付勢するようにしてもよい。また、同図(c)のように板体６５ｃを設けなくともよい。
また、図３０の遮蔽体６８のように、図２６の遮蔽体５５に対して突っ張り棒６３を適用してもよい。図の遮蔽体６８においては、骨組５６の各端部はエッジ部６９に固定されている。エッジ部６９自体は構成部材６９ａ、６９ｂを互いにスライドさせることで長手方向に長さが可変となっている。
以上の各例では、遮蔽材の内側から突っ張り棒６３で付勢してラック間に取り付ける構成であるから、種々の通路幅に対応可能である。
【００６８】
次に、他の実施形態について説明する。なお従来と同一の構成については同一の符号を用い、その説明を省略する。
本実施形態においては、第１の天井７５と第２の天井７６とを備えた二重天井構造であり、第１の天井７５と第２の天井７６との間（第２の天井７６の天井裏）に内部空間７７を有する。また、内部空間７７と機器収容用ラック３の上面とを直結するダクト７８と、内部空間７７と空気調和装置６の吸込口６ａとを直結するダクト７９とが設けられている。本実施形態ではラック３は図１に示したように上面のファン３ｃ（排気口）から排気する構成であり、ダクト７８はラック３から排気された温風を内部空間７７に導くようになっている。また、ダクト７９は内部空間７７の空気を空気調和装置６に導くようになっている。
【００６９】
このように構成されていることにより、ラック３の上方から吹き出される排気（温風）が、ダクト７８により確実に内部空間７７に導入され、ダクト７９を経て空気調和装置６に導かれる。空気調和装置６では排気が冷却され、再び二重床２の内部空間５に供給され、ラック３の冷却に用いられる。
したがって、本実施形態においては、ラック３から吹き出される温風がラック３の前方に回り込んで吸い込まれてしまうことを防止することができ、ラック３の上部に収容された機器であっても十分に冷却を行うことができる。
【００７０】
上記実施形態の変形例として、図３２のようにしてもよい。本実施形態では、空気調和装置６は内部空間７７から吸引した空気を室外に排気し、室外から取り入れた空気を冷却して室内に吹き出すようになっている。
本変形例においては、ラック３から排出される空気は、ダクト７８，７９を通じて確実に空気調和装置に吸入され、室外に排気される。
さらに、上記図３１，図３２の空気の流れを、室外の温度に基づいて適宜切り替えることができる空気調和装置としてもよい。すなわち、室外温度に基づき（または室外温度とラック３の排気温度との差に基づき）、室外温度が所定レベルより高い場合、空気調和装置６はダクト７９経由で吸引したラック３の排気を冷却し、再び二重床２の内部空間５に供給する運転を行う。室外温度が十分に低い場合は、空気調和装置６は室外から空気を吸引して冷却し、冷気を二重床２の内部空間５に供給する運転を行う。室外温度の低さによっては室外気を冷却せずそのまま冷却に用いてもよい。
このように室外の気温に基づいて運転を切り替えることにより、効率のよい冷却を行うことができる。
【００７１】
さらに、図３３に示した変形としてもよい。
図３３においては、内部空間７７の空気を室外に排気する排気用ファン８０が設けられている。また図３１のダクト７９は本変形例では設けられていない。
本変形例では、ラック３の上面から排気された空気がダクト７８から天井裏の内部空間７７に流入し、排気用ファン８０によって室外に排気される。空気調和装置６は、室外から取り入れた空気を冷却して室内に吹き出す。
このように、本実施形態においては、ラック３から吹き出される温風は確実に室外に排気されるから、温風の回り込みが阻止され、ラック３の上部に収容された機器であっても十分に冷却を行うことができる。
【００７２】
ところで、上記の各実施形態においては、床２が二重に構成され、空気調和装置６から送出される冷却用空気は床面に設けられた孔あきパネル７を通じて床上に給気されるようになっているが、本発明においては、冷却用空気は必ずしも床下から供給される必要はない。例えば、壁面に設けた吹出口から冷却用空気を吹き出させてもよいし、室内に設置した空気調和装置から冷却用空気を供給するようにしてもよい。
【図面の簡単な説明】
【００７３】
【図１】本発明の一実施形態としてのラックの回り込み防止壁を示した図である。
【図２】本発明の他の実施形態としてのラックの回り込み防止壁を示した図である。
【図３】本発明の他の実施形態としてのラックの回り込み防止壁を示した図である。
【図４】本発明の他の実施形態としての空気調和装置に設けられた回り込み防止壁と、ラック群に設けられた回り込み防止壁について示した図である。
【図５】本発明の他の実施形態として、ラックの回り込み防止壁を天井から吊り下げた状態を示した図である。
【図６】本発明の他の実施形態としての壁体を示した図である。
【図７】通路の他端側にも壁体が設けられた他の実施形態について示した図である。
【図８】通路の両端に壁体が設けられ、さらにラック群に回り込み防止壁が設けられた状態を示した図である。
【図９】通路の両端に壁体が設けられ、通路を遮蔽する遮蔽板が設けられた状態を示した図である。
【図１０】通路を遮蔽する遮蔽板を天井から吊り下げた状態を示した図である。
【図１１】遮蔽体の他の例について示した図である。
【図１２】同遮蔽体が固定されていない状態のラックについて示した図であり、(a)は上面図、(b)は側面図である。
【図１３】同遮蔽体が固定された状態のラックについて示した図であり、(a)は上面図、(b)は側面図である。
【図１４】同遮蔽体の一部を示した図である。
【図１５】同遮蔽体の使用状態について示した図である。
【図１６】同遮蔽体の変形例について示した図である。
【図１７】同遮蔽体の変形例について示した図である。
【図１８】遮蔽体の他の例について示した図である。
【図１９】遮蔽体の他の例について示した図である。
【図２０】同遮蔽体において不燃シートを取り付ける際の状態について示した図である。
【図２１】同遮蔽体の変形例について示した図である。
【図２２】遮蔽体の他の例について示した図である。
【図２３】遮蔽体の他の例について示した図である。
【図２４】同遮蔽体の一部を示した図である。
【図２５】遮蔽体の他の例について示した図である。
【図２６】遮蔽体の他の例について示した図である。
【図２７】遮蔽体の他の例について示した図である。
【図２８】遮蔽体の他の例について示した図である。
【図２９】同遮蔽体の変形例について示した図である。
【図３０】遮蔽体の他の例について示した図である。
【図３１】本発明の他の実施形態について示した図である。
【図３２】同変形例について示した図である。
【図３３】同変形例について示した図である。
【図３４】従来の電算機室用空調システムについて示した図である。
【符号の説明】
【００７４】
２  二重床
３  ラック
４  通路
５  内部空間
６  空気調和装置
７  孔あきパネル
１０，１０’、１０”、１１，１１’、１１”  回り込み防止壁（板材）
１２  回り込み防止壁
１３、１４  壁体
１３ａ、１４ａ  扉
１６  遮蔽板（遮蔽体）
２０、２０’、２０”  遮蔽体
２３  スライド板
３０  遮蔽体
３５  遮蔽体
３６  ワイヤ
３７  遮蔽材
４０  遮蔽体
４１，４２  側板
５０、５５、５８、６２、６８  遮蔽体
５６  骨組
５７  遮蔽材
６３  突っ張り棒
７７  天井裏内部空間
７８  ダクト
７９  ダクト
【図１】
2004184070.tif 000003
【図２】
2004184070.tif 000004
【図３】
2004184070.tif 000005
【図４】
2004184070.tif 000006
【図５】
2004184070.tif 000007
【図６】
2004184070.tif 000008
【図７】
2004184070.tif 000009
【図８】
2004184070.tif 000010
【図９】
2004184070.tif 000011
【図１０】
2004184070.tif 000012
【図１１】
2004184070.tif 000013
【図１２】
2004184070.tif 000014
【図１３】
2004184070.tif 000015
【図１４】
2004184070.tif 000016
【図１５】
2004184070.tif 000017
【図１６】
2004184070.tif 000018
【図１７】
2004184070.tif 000019
【図１８】
2004184070.tif 000020
【図１９】
2004184070.tif 000021
【図２０】
2004184070.tif 000022
【図２１】
2004184070.tif 000023
【図２２】
2004184070.tif 000024
【図２３】
2004184070.tif 000025
【図２４】
2004184070.tif 000026
【図２５】
2004184070.tif 000027
【図２６】
2004184070.tif 000028
【図２７】
2004184070.tif 000029
【図２８】
2004184070.tif 000030
【図２９】
2004184070.tif 000031
【図３０】
2004184070.tif 000032
【図３１】
2004184070.tif 000033
【図３２】
2004184070.tif 000034
【図３３】
2004184070.tif 000035
【図３４】
2004184070.tif 000036